(57)【要約】【課題】システム天井に設置される照明装置において、ベースプレートとカバーの組み付け工数を削減する。【解決手段】照明装置１０は、建造物の天井に固設されている天井バー８０に設置される。照明装置１０は、平面基板１８上に二次元配列される複数の発光素子２０と、平面基板１８が搭載されるベースプレート１６と、発光素子２０の発光面側を覆うように配置される透明または半透明のカバー１４と、を備える。ベースプレート１６のうち少なくとも対向する二辺に、内側に凹部を有する折り返し部１６ｃが形成されており、カバー１４の外縁に形成されたフランジ部１４ｃが凹部に受け入れられるようにカバー１４をベースプレート１６に対してスライドさせることによって、カバー１４が取り付けられる。【選択図】図４
2015002044.tif 000002
【特許請求の範囲】
【請求項１】
建造物の天井に固設されている天井バーに設置される照明装置であって、
平面基板上に二次元配列される複数の発光素子と、
前記平面基板が搭載されるベースプレートと、
前記発光素子の発光面側を覆うように配置される透明または半透明のカバーと、を備え、
前記ベースプレートのうち少なくとも対向する二辺に、内側に凹部を有する折り返し部が形成されており、前記カバーの外縁に形成されたフランジ部が前記凹部に受け入れられるように前記カバーを前記ベースプレートに対してスライドさせることによって、前記カバーが取り付けられることを特徴とする照明装置。
【請求項２】
前記ベースプレートは、前記平面基板が搭載される底面と前記折り返し部との間に、前記底面から立ち上がる立壁を有し、
前記立壁の高さが前記平面基板上の発光素子の高さよりも高いことを特徴とする請求項１に記載の照明装置。
【請求項３】
前記カバーが前記ベースプレートに取り付けられた状態で、該ベースプレートのうち前記折り返し部が形成されていない辺における該ベースプレートと前記カバーとが、照明装置を前記天井バーに取り付けるブラケットに一体的に設けられた挟持部により固定されることを特徴とする請求項１または２に記載の照明装置。
【請求項４】
前記ベースプレートの外縁に配置される、両面に白色レジストが施された細長基板をさらに備え、
前記細長基板は、外側面が天井を向くように傾斜させて配置され、該外側面上に複数の第２発光素子が配列されていることを特徴とする請求項１ないし３のいずれかに記載の照明装置。
【発明の詳細な説明】
【技術分野】
【０００１】
本発明は、システム天井に設置される薄型の照明装置に関する。
【背景技術】
【０００２】
最近のオフィスビルなどでは、天井材の寸法や取り付けを規格化したシステム天井が普及している。システム天井では間取りや照明配置の変更が容易であるため、天井工事を簡素化することができる。
【０００３】
従来のシステム天井用の照明装置はランプを用いて構成されていたため、照明装置の厚みや重量が大きくなるという問題があった。そのため、ランプの代わりに発光ダイオード（ＬＥＤ：Light Emitting Diode）を使用する照明装置が開発されている。例えば、特許文献１には、ＬＥＤパネルや有機ＥＬパネル等の光源パネルを用いたシステム天井用の照明装置が開示されている。
【先行技術文献】
【特許文献】
【０００４】
【特許文献１】特開２００８−２７２７８２号公報
【発明の概要】
【発明が解決しようとする課題】
【０００５】
システム天井用の照明装置では、光源パネルが搭載されたベースプレートの外縁に多数のカシメ部を設け、これらをランプカバーのフランジにかしめることによって両者を固定しているものが多い。しかしながら、この構造では組み付け工数が多くなり、カシメ用の治具が必要になる。加えて、大型の照明装置の場合、カシメだけではベースプレートとカバーの間の平面度を確保できず隙間ができてしまい、防塵性が低下するという問題がある。
【０００６】
本発明はこうした状況に鑑みてなされたものであり、その目的は、システム天井に設置される照明装置において、ベースプレートとカバーの組み付け工数を削減する技術を提供することにある。
【課題を解決するための手段】
【０００７】
本発明のある態様の照明装置は、建造物の天井に固設されている天井バーに設置される照明装置であって、平面基板上に二次元配列される複数の発光素子と、平面基板が搭載されるベースプレートと、発光素子の発光面側を覆うように配置される透明または半透明のカバーと、を備える。ベースプレートのうち少なくとも対向する二辺に、内側に凹部を有する折り返し部が形成されており、カバーの外縁に形成されたフランジ部が凹部に受け入れられるようにカバーをベースプレートに対してスライドさせることによって、カバーが取り付けられる。
【０００８】
この態様によると、ベースプレートとカバーとをスライド構造で組み付けるようにしたことで、カシメ等により両者を固定する場合と比べて組み付け作業が非常に容易になり、組み付け工数を削減することができる。
【０００９】
ベースプレートは、平面基板が搭載される底面と折り返し部との間に、底面から立ち上がる立壁を有してもよい。立壁の高さが平面基板上の発光素子の高さよりも高くてもよい。立壁を設けることで、ベースプレートに対してカバーをスライドさせやすくなる。
【００１０】
カバーがベースプレートに取り付けられた状態で、ベースプレートのうち折り返し部が形成されていない辺におけるベースプレートとカバーとが、照明装置を天井バーに取り付けるブラケットに一体的に設けられた挟持部により固定されてもよい。これによると、スライド構造でない部分でも、ベースプレートとカバーの間に隙間が生じないように固定することができる。
【００１１】
ベースプレートの外縁に配置される、両面に白色レジストが施された細長基板をさらに備えてもよい。細長基板は、外側面が天井を向くように傾斜させて配置され、外側面上に複数の第２発光素子が配列されていてもよい。これによると、カバーの隅部を暗くすることなく、カバーの側方からも天井面を照射することができる。
【発明の効果】
【００１２】
本発明によれば、システム天井に設置される照明装置において、ベースプレートとカバーの組み付け工数を削減することができる。
【図面の簡単な説明】
【００１３】
【図１】本発明の一実施形態に係る照明装置の全体斜視図である。
【図２】図１の照明装置の側面図である。
【図３】カバーを取り外したときの平面基板の発光面側を示す平面図である。
【図４】図２中のＡ部の拡大断面図である。
【図５】（ａ）、（ｂ）は、ブラケットをそれぞれ異なる方向から見たときの斜視図である。
【図６】ブラケットを使用してベースプレートとカバーとを固定する様子を示す斜視図である。
【図７】図２中のＢ部の拡大断面図である。
【図８】平面基板とは別に、第２発光素子を有する細長基板をさらに設けた構成を示す図である。
【発明を実施するための形態】
【００１４】
図１は、本発明の一実施形態に係る照明装置１０の全体斜視図であり、図２は照明装置１０の側面図である。照明装置１０は、四角板状のベースプレート１６と、発光素子が配置される平面基板１８と、平面基板１８の発光面側を覆うように取り付けられるカバー１４と、を備える。カバー１４は例えばアクリル樹脂製であり、透明、半透明、乳白色のいずれであってもよいし、樹脂内に光の拡散剤が含まれていてもよい。ベースプレート１６には、発光素子に電力を供給する電源ユニット１９が取り付けられる。
【００１５】
照明装置１０はシステム天井に設置される。システム天井では、略正方形の升目を形成するように天井バー（図４参照）が予め建造物の天井に固設されている。照明装置１０は、ベースプレート１６の４個所に取り付けられたブラケット４０を使用して天井バーに固定され、升目に嵌め込まれる形で設置される。
【００１６】
図３は、カバー１４を取り外したときの平面基板１８の発光面側を示す平面図である。ベースプレート１６に固定された平面基板１８上には、ＬＥＤ等の発光素子２０が格子状または千鳥状に二次元配列され、各発光素子の上には、発光面を覆うようにそれぞれレンズ２２が取り付けられている。
【００１７】
レンズ２２は、発光素子から発せられた光を水平方向に拡散するとともに、発光素子の真下に光が向かわないようにする光学設計がなされている。これにより、指向性の強い発光素子を使用しても、点光感の少ない均一な面発光とすることができる。
【００１８】
平面基板１８の上には白色反射シート２４が配置されている（図４参照）。この白色反射シート２４は、例えば帝人デュポンフィルム製のＰＥＴシート（型番ＵＸＪＰ−１７５）である。白色反射シート２４は、ベースプレート１６にねじやリベットで固定されるが、平面基板１８と複数のレンズ２２との間に挟まれて固定されてもよい。平面基板とレンズとで白色反射シートを挟み込んで固定することで、シート固定用のねじや接着剤等が不要になる。また、平面基板に白色レジストを塗布する必要がないため、平面基板の製作コストが低下する。
【００１９】
図４は、図２中のＡ部を、ブラケット４０のうちの一つを横切るように切断したときの拡大断面図である。図４を参照して、照明装置１０を天井バー８０に設置する様子を説明する。
【００２０】
天井バー８０は、例えば一枚の鉄板の折り曲げにより形成されており、断面がロの字形の上部８０ａと、断面がコの字形の下部８０ｂとを有する。照明装置１０は、ベースプレート１６の４個所に取り付けられたブラケット４０を使用して天井バー８０に固定される。
【００２１】
本実施形態では、ベースプレート１６とカバー１４とはスライド構造によって組み付けられている。図４に示すように、ベースプレート１６の周縁には、平面基板１８が搭載された底面１６ａから傾斜して床側に立ち上がる立壁部１６ｂが形成されている。さらに、四角板状のベースプレート１６のうちの三辺の立壁部１６ｂの先端には、内向きの凹部を有する折り返し部１６ｃが形成されている。
【００２２】
カバー１４は、下面１４ａと、下面からほぼ垂直に延びる側面１４ｂとを有している。さらに、側面１４ｂには、外向きに延びるフランジ部１４ｃが形成されている。
【００２３】
カバー１４とベースプレート１６を組み付けるには、カバー１４のフランジ部１４ｃがベースプレート１６の折り返し部１６ｃ内に受け入れられるようにカバー１４をベースプレート１６に対してスライドさせながら挿入する。このようなスライド構造によって、カバーとベースプレートの組み付けが非常に容易になる。例えば、ベースプレートの外縁に多数のカシメ部を設け、これらをカバー１４のフランジ部１４ｃにかしめて取り付ける場合と比べて、組み付け工数を大幅に削減することができる。また、カバー１４のフランジ部１４ｃがベースプレート１６の折り返し部１６ｃ内に受け入れられるため、カバー１４とベースプレート１６の間に隙間が存在しなくなる。したがって、照明装置の防塵性が向上する。
【００２４】
上記のように、ベースプレート１６に立壁部１６ｂを形成することによって、折り返し部１６ｃが基板上のレンズ２２からある程度離れた位置に来るため、カバー１４のスライド時にフランジ部１４ｃがレンズと干渉しにくくなる。さらに、立壁部１６ｂによりベースプレート１６のねじり強度が高まり、補強材が不要になる。
【００２５】
カバー１４とベースプレート１６とは、四角形の四辺のうち折り返し部１６ｃが形成されている三辺が上記のスライド構造によりスライドされた後、その三辺が、ブラケット４０に一体に形成された傾斜部５６から延びる挟持部５２によって挟持され、固定される。なお、ベースプレート１６における挟持部５２によって挟持される部位には、折り返し部１６ｃは形成されておらず、フランジ部１４ｃとベースプレート１６の延在部１６ｄのみを挟み込んで固定する。また、残りの一辺、すなわち四角形状のベースプレート１６のうち折り返し部１６ｃが形成されていない辺も、上記と同様に、挟持部５２によってフランジ部１４ｃとベースプレート１６の延在部１６ｄのみを挟み込んで固定する。
【００２６】
図５（ａ）、（ｂ）は、ブラケット４０をそれぞれ異なる方向から見た斜視図である。ブラケット４０は、ベースプレート１６の天井側の面に固定される固定部５４と、固定部５４から天井側に延びる垂直部５０と、垂直部５０から曲折して水平に延びる水平部４２と、水平部４２から曲折して下向きに延びる第２垂直部４６と、固定部５４から斜め下方に垂れ下がる傾斜部５６と、傾斜部５６の端部にあり断面がコの字形に形成された挟持部５２と、で構成される金属片である。
【００２７】
図４に示したように、ブラケット４０の水平部４２が天井バー８０の上部８０ａに載置されることで、照明装置１０が天井バー８０に支持される。
【００２８】
図６は、ブラケット４０を使用してベースプレート１６とカバー１４とを固定する様子を示す斜視図であり、図７は、図６中のブラケット４０の傾斜部５６の一つを横切る垂直面で照明装置１０を切断したときの断面図である。
【００２９】
図７に示すように、ブラケット４０の挟持部５２は、ベースプレート１６の立壁部１６ｂより外側に水平に延びる延在部１６ｄと、カバー１４のフランジ部１４ｃとが重なる部分を上下から挟み込んで固定するように構成されている。これにより、ベースプレート１６のうち折り返し部１６ｃが形成されていない辺においても、ベースプレートとカバーの間に隙間ができないようにすることができる。したがって、照明装置の防塵性が向上する。また、ベースプレートとカバーとを固定するためのクリップ等の部材を別に設ける必要がないため、部品点数を削減することができる。
【００３０】
図４および７では、カバー１４の下面１４ａが天井バー８０の下端よりわずかに突出するように照明装置１０が設置されているが、ブラケット４０の垂直部５０の長さを変更することで、天井面からのカバー１４の突出量を調整することができる。
【００３１】
カバー１４の下面１４ａを天井面よりも突出させて設置する場合、カバー側面からも光を照射させる手段を設けてもよい。例えば、白色反射シートを平面基板の周縁からはみ出すような大きさとし、はみ出した部分を天井側へ傾斜させることによって、反射光をカバー側面から出射させる構造が知られている。しかしながら、この構造ではカバー側面に光が逃げるために、カバー下面において周縁部が他の部分よりも暗くなる現象が生じていた。
【００３２】
図８は、上記の問題を解決すべく、平面基板１８とは別の細長基板３０を設けた構成を示す。細長基板３０は、ベースプレート１６の外縁に、外側面３０ａが天井を向くように傾斜させて配置される。細長基板３０の両面には白色レジストが塗布されている。さらに、細長基板３０の外側面３０ａには、複数の第２発光素子３２が配置されている。
【００３３】
細長基板３０上の第２発光素子３２は、天井面に向けて直接光を照射する。この際、外側面３０ａに施された白色レジストによって、反射光も天井面の照射に利用される。このように、照明装置の側面方向を発光素子からの直接光および反射光で照射することによって、照明装置の側面の光量を増大することができる。
【００３４】
細長基板３０の内側面３０ｂに施された白色レジストは、平面基板１８上の発光素子２０から出射した光を照明装置のカバー下面１４ａの周縁部に向けて反射させる。これにより、カバー下面の周縁部が暗くなる現象を抑制することができる。
【００３５】
細長基板３０上の第２発光素子３２は、平面基板１８上の発光素子２０とは独立して点消灯できるように構成されることが望ましい。第２発光素子３２の点灯時には、カバー側面からの光で天井面を照射することによって、実際の照度にかかわらず人の感じる明るさ感を高めることができる。また、発光素子２０を消灯し第２発光素子３２のみを点灯することで、照明装置１０を間接照明として用いることができる。
【００３６】
以上説明したように、本実施形態によれば、ベースプレートとカバーとをスライド構造で組み付けるようにしたことで、カシメ等により両者を固定する場合と比べて組み付け作業が非常に容易になり、組み付け工数を削減することができる。さらに、ベースプレートの折り返し部でカバーのフランジ部が覆われる形になるので、ベースプレートとカバーとの間に隙間が生じず、照明装置の防塵性が向上する。
【００３７】
本発明は、上述の各実施形態に限定されるものではなく、当業者の知識に基づいて各種の設計変更等の変形を加えることも可能である。各図に示す構成は、一例を説明するためのもので、同様な機能を達成できる構成であれば、適宜変更可能であり、同様な効果を得ることができる。
【００３８】
実施の形態では、内側に凹部を有する折り返し部をベースプレートに形成することを述べたが、折り返し部をカバーに形成してもよい。
【００３９】
実施の形態では、四角板状のベースプレート１６のうちの三辺の立壁部１６ｂの先端に内向きの凹部を有する折り返し部１６ｃを形成することを述べたが、対向する二辺にのみ折り返し部１６ｃを形成してもよい。この場合、残りの二辺では、ベースプレート１６の延在部１６ｄとカバー１４のフランジ部１４ｃとが重なる部分を、ブラケット４０の挟持部５２で固定するように構成すればよい。
【符号の説明】
【００４０】
１０  照明装置、  １４  カバー、  １４ｃ  フランジ部、  １６  ベースプレート、  １６ｂ  立壁部、  １６ｃ  折り返し部、  １８  平面基板、  ４０  ブラケット、  ５２  挟持部。
【図１】
2015002044.tif 000003
【図２】
2015002044.tif 000004
【図３】
2015002044.tif 000005
【図４】
2015002044.tif 000006
【図５】
2015002044.tif 000007
【図６】
2015002044.tif 000008
【図７】
2015002044.tif 000009
【図８】
2015002044.tif 000010